(57)【要約】【課題】携帯電話機を使用することによって罹患すると考えられる腱鞘炎（特にド・ケルバン病）を、携帯電話機に付属するストラップを利用して、これと予防或いは治療するサポーターを組み合わせた携帯電話機用ストラップを提供する。【解決手段】携帯電話機に付属するストラップであって、ストラップに手首用或いは親指用の筒状或いはリング状のリング状サポータを着脱自在或は着脱不能に連結した携帯電話機用ストラップ、および、携帯電話機に付属するストラップであって、ストラップ自体が手首用或いは親指用の筒状或いはリング状のサポータである携帯電話機用ストラップである。【選択図】図４
2004016353.tif 000002
【特許請求の範囲】
【請求項１】
携帯電話機に付属するストラップであって、ストラップに手首用或いは親指用の筒状或いはリング状のリング状サポータを着脱自在或は着脱不能に連結したことを特徴とする携帯電話機用ストラップ
【請求項２】
携帯電話機に付属するストラップであって、ストラップ自体が手首用或いは親指用の筒状或いはリング状のサポータであることを特徴とする携帯電話機用ストラップ
【請求項３】
上記請求項１又は２において、前記サポータスはトルマリン、銀、銅、アルミニウムの少なくともいずれか１つの金属で処理した素材を織り込んだことを特徴とする携帯電話機用ストラップ
【発明の詳細な説明】
【０００１】
【発明の属する技術分野】
本発明は、携帯電話機に付属するストラップにの技術分野に属する。
【０００２】
【従来の技術】
従来のストラップは、例えば、実用新案登録３０４１７１８号で提案されているものがある。これは図１に示すように、携帯電話機ａに設けれた一部の取付部ｂにストラップｃを取り付られているが、ストラップｃは細い短いループ状紐ｃ１と太い長いループ状紐ｃ２からなっており、ポケットからの携帯電話機１を取り出したり、手に引っかけて持ち運ぶ機能と単にアクセサリ−として利用するものであった。
【０００３】
【発明が解決しようとする課題】
ところで、最近、携帯電話機の猛烈な普及に加えてその利用者の携帯電話の使用頻度と使用時間も極めて高い増加傾向にある。
そして、最近の携帯電話機は通話機能に加えてメ−ルの送受信が一般的であり、使用者はメ−ル送信に主に親指を使って各種のボタンｄで送信内容を打ち込むことが一般的になってきており、このように携帯電話機が日常的に使用されると、過去に手の使いすぎによってタイピストやキ−パンチャ−などが腱鞘炎になったケ−スと同様に、携帯電話機の使用によっても腱鞘炎になるとといった問題点がある。
この腱鞘炎には、ド・ケルヴァン病（ｄｅ　Ｑｕｅｒｖａｉｎ）とばね指（弾発指）があるが、特に前者のド・ケルヴァン病はとう骨茎状突起付近の痛みを主症状とし、局所を中心として腫れ、発赤を伴い、強い圧痛がある。この症状は、手作業をする人に多く、物を握る、摘む、絞る等の動作で痛みが増強する特徴を有し、拇指を中心にして握り手首を小指側に曲げるととう骨茎状突起付近に強い痛みを感じるものである。
最近の携帯電話機の急激な普及と使用頻度と時間の増大は、親指を酷使することに由来する腱鞘炎，なかでも特にド・ケルヴァン病の罹患率が若者を中心に高くなり、一層深刻な問題点となりつつある。
【０００４】
そこで、本発明は上記の問題点に鑑みて為されたもので、その課題は、携帯電話機の付属品として、腱鞘炎の予防と治療用のサポーターを付属させ、携帯電話機手を操作する場合に、手軽に腱鞘炎の予防と治療用のサポーターを使用するようにすれば良いことに想到し、携帯電話機を使用することによって罹患すると考えられる腱鞘炎（特にド・ケルバン病）を、携帯電話機に付属するストラップを利用して、これと予防或いは治療するサポーターを組み合わせた携帯電話機用ストラップを提供しようとするものである。
【０００５】
【課題を解決するための手段】
上記課題を解決するために、請求項１の発明は、携帯電話機に付属するストラップであって、ストラップに手首用或いは親指用の筒状或いはリング状のリング状サポータを着脱自在或は着脱不能に連結したことを特徴とする携帯電話機用ストラップである。
請求項２の発明は、携帯電話機に付属するストラップであって、ストラップ自体が手首用或いは親指用の筒状或いはリング状のサポータであることを特徴とする携帯電話機用ストラップである。
請求項３の発明は、上記請求項１又は２において、前記サポータスはトルマリン、銀、銅、アルミニウムの少なくともいずれか１つの金属で処理した素材を織り込んだことを特徴とする携帯電話機用ストラップである。
【０００６】
【発明の実施の形態】
本発明の好適な実施例を説明する前に、本発明に本質ついて説明するが、発明者は、腱鞘炎の病理学的且つ生理学的な見地からストラップの利用を考察した。まず、腱鞘炎の原因は携帯電話機を握る同じ手の状態でボタンを押し続けることで、その負担が手指、特に拇指にかかってくることに気づき、この機械的反復刺激により炎症が起こり、腱と腱鞘との間の滑らかな動きが障害され痛みを発生するものと考えられる。
拇指の繰り返しの反復運動は短拇指伸筋腱（主に拇指を伸ばす働きをする腱）と長拇指外転筋腱（主に拇指を広げる働きをする腱）に影響し、同一腱鞘（腱が通るトンネル）内での動きの為にその動きがスム−ズでなくなり、炎症が起こり、痛みや腫れが発生するのである。
そこで本発明者は、短拇指伸筋腱と長拇指外転筋腱が通る腱鞘をソフトに固定することによって両者の動きを安定させることが腱鞘炎の予防或いは治療につながることを発見、そのためには、手首用或いは親指用の筒状或いはリング状のリング状サポータが有効であることが判明した。
発明者はこの事実を基にして更に研究を重ねた結果、この発明を完成させることができたものである。
【０００７】
後述する各実施例のように、携帯電話機の付属品として、腱鞘炎の予防と治療用のサポーターを付属させ、携帯電話機を操作する場合に、手軽に腱鞘炎の予防と治療用のサポーターを使用するようにすれば良いことに想到し、携帯電話機を使用することによって罹患すると考えられる腱鞘炎（特にド・ケルバン病）を、従来携帯電話に付属するストラップを利用して、これと予防或いは治療するサポーターを組み合わようにしたものである。
また、ストラップ自体及びストラップに連結するサポ−タ−は、一定の伸縮性のある素材であるラバ−，ウレタン，織布，不織布，スプリング或いはそれら複数の組み合わせ素材を用いることができる。
形状はリング状から筒状まで、又、患部である親指と手首の形状に合わせて、患部である親指と手首をソフトに保護・固定できる形状にすればよい。
更に、ストラップ自体をトルマリンを織り込ませマイナスイオン効果、或いは、金属により生体電気の流れを正常化することによって患部の血流を改善し、炎症を補助的に緩解するようにしてもよく、又、ストラップ或いはサポーターにより携帯電話本体を圧迫等の物理的衝撃から保護するようにしてもよく、また、ストラップを防水性の素材として、使用していない場合に袋の中に携帯電話自体を包み込み、水による被害（水泳，雨，等）から本体を保護するようにしてもよく、包み込んむストラップ或いはサポーター自体に電磁波防止用処理をすることによって携帯電話による電磁波の影響から身体を守るように構成してもよい。
【０００８】
以下に、本発明の好適な実施例を説明する
［実施例１］
本発明の好適な第１の実施例は、図２に示すように、携帯電話機ａに取り付けたストラップ１に、伸縮性と一定の幅をもったリング状のサポーター２としてのストラップを着脱自在の接続具３で連結したもので、接続具３は着脱自在の雄雌の一対の接続具３１、３２から構成されており、リング状のサポーター２はその中間に着脱自在の雄雌の一対の留め具４１、４２が設けられ、留め具４１、４２を嵌合して図２（ｂ）のように二重のループを形成することができ、患部固定が必要なときには連結を外して使用できるようにしてある。
第１の実施例のサポーター２の１つの使用方法は、接続具３を外して、サポーター２を分離し、図３に示すように、留め具４１、４２を使用しないで、サポーター２を広げて幅のある大きな円筒状Ａとして手首Ｂに使用したものである。
サポーター２の他の使用方法は、図４に示すように、留め具４１、４２を嵌合して図２（ｂ）のように二重のループを形成させ、先端の小さなループＣを親指Ｄに使用したものである。
したがって、手首や親指をサポーター２でソフトに保持固定して、これらの部位の腱鞘炎の予防或いは治療用のサポーターとして用いることができ、必要に応じてストラップ１からサポータを分離して使用できるから、携帯電話機ａを手から離して自由に移動して使用することができる。
【０００９】
［実施例２］
本発明の好適な第２の実施例は、実施例１の図２において、ストラップ１の長さを若干長くするか、ストラップ１自体を伸びる素材にして、接続具３３は着脱自在ではなく固着式の接続具３３にした点が異なる。
第２の実施例のサポーター２の１つの使用方法は、図５に示すように、ストラップを付けたまま、留め具４１、４２を使用しないで、サポーター２を広げて幅のある大きな円筒状Ａとして手首Ｂに使用したものであり、サポーター２の他の使用方法は、図６に示すように、留め具４１、４２を嵌合して図２（ｂ）のように二重のループを形成させ、先端の小さなループＣを親指Ｄに使用したものである。
したがって、手首や親指をサポーター２でソフトに保持固定して、これらの部位の腱鞘炎の予防或いは治療用のサポーターとして用いることができ、常にサポータが携帯電話機ａに付帯しているので、紛失することがない。
【００１０】
［実施例３］
本発明の好適な第３の実施例は、図７に示すように、ストラップ５自体もサポ−ターにしたもので、このストラップを携帯電話機ａに軽く巻き付けることによって、携帯電話機自体を物理的衝撃から保護するものである。
サポーターとして使用する場合は、使用する手首や親指に適したリングや円筒になるように一対の留め具６で調節して、実施例１のように使用する。
この場合に、ストラップ自体に電磁波防止用処理をすることによって携帯電話による電磁波の影響から身体を守ようにしてもよい。
【００１１】
［実施例４］
本発明の好適な第４の実施例は、図８に示すように、実施例３のように、ストラップ７自体もサポ−ターであるが、広げると袋状になり、サポーター７として使用する場合は、底部のファスナー７１を開いて円筒状にして使用する。
この場合も、ストラップであるサポーターで携帯電話機ａを包み、携帯電話機自体を物理的衝撃から保護するものである。
更に、ストラップを防水性の袋状とし、使用していない場合に袋の中に携帯電話自体を包み込み、水による被害（水泳，雨，等）から本体を保護するようにし、このストラップ自体に電磁波防止用処理をすることによって携帯電話による電磁波の影響から身体を守るようにしてもよい。
【００１２】
［実施例５］
本発明の好適な第５の実施例は、図９に示すように、逆に、円筒状のサポーター７の外周の適所に実施例３のように、携帯電話機ａを収納するポケット部７３を設けたもので、電話がかかってきた時には、すぐに取り出すことができ便利であるととに、収納時にはサポーターの収縮性によって、ポケット部７３から容易に脱落することが防げ、なおかつ、ファッション性も有するものである。
この場合も、実施例４と同様、ポケット部７３は防水性とし、使用していない場合に袋の中に携帯電話自体を包み込み、水による被害（水泳，雨，等）から本体を保護するようにし、このストラップ自体に電磁波防止用処理をすることによって携帯電話による電磁波の影響から身体を守るようにしてもよい。
【００１３】
［実施例６］
本発明の好適な第６の実施例は、図１０に示すように、ストラップ１に手首専用のサポーター７４と親指専用のサポーター７５とを弾性紐７６で連結したもので、同時に手首と親指にサポーターを装着することができる。
この場合には各サポーターの紛失防止ができ、携帯電話機の地上や床等への落下防止にもなる。
【００１４】
［実施例７］
本発明の好適な第７の実施例は、図１１（ａ），図１１（ｂ）に示すように、ストラップ１に親指専用のサポーター７５を単独で連結したもので、接続具３は着脱可能にしても、固着にしてもよく、図１１（ｂ）の場合はサポーター７５の接続具３を外して親指専用のサポーター７５を親指に単独に使用したものである。この実施例の場合は、使用頻度の多い着だ親指専用のサポーター７５だけにしたので、嵩張ることがない。
【００１５】
以上の実施例１〜７の各実施例のサポーターの素材は、一定の伸縮性のある素材であるラバ−，ウレタン，織布，不織布，スプリング或いはそれら複数の組み合わせ素材を用いることができるが、トルマリン、銀、銅、アルミニウムの鉱物や金属の少なくともいずれか１つ、或いは、これらの組み合わせで処理した素材を織り込んで、ストラップにトルマリンのマイナスイオン効果、或いは、金属により生体電気の流れを正常化することによって患部の血流を改善し、炎症を補助的に緩解するようにしてもよい。
また、腱鞘炎は不自然な手仕事や、手の使いすぎ等、反復される機械的な刺激により発生し、長拇指伸筋腱、短拇指外転筋腱は手関節の腱鞘の部分で尺側にカーブするが、その角度が女性がより大きいため、女性に好発するとされており、拇指の運動に伴って疼痛は拇指背側、前腕とう骨側に放散するが、この発明の各実施例は、携帯電話機の使用頻度が高い使用者にとって、手首と親指をソフトに保持・固定することによって、腱の動きを円滑にして腱鞘炎の発生を予防するとともに、炎症による疼痛の放散を防止する働きをし、ストラップのサポーターを親指或いは手首に巻いて保護・固定することによって腱鞘炎の予防と治療が可能である。
更に、実施例１〜７の各実施例でストラップに連結まま、手首或いは親指にサポーターを使用する場合には、携帯電話機の地上や床等への落下防止にもなる。
【００１６】
なお、本発明の特徴を損なうものでなければ、上述した実施例に限定されるものでないことは勿論である。例えば、実施例６において、弾性紐７６で連結せずに、手首専用のサポーター７４と親指専用のサポーター７５とを独立して使用できるように、そせぞれを直接ストラップ１に連結してもよく、ストラップ１を２本にして手首専用のサポーター７４と親指専用のサポーター７５を個々に連結するようにしてもよい。
【００１７】
【発明の効果】
以上説明したように、本発明によれば、携帯電話機の使用頻度が高い使用者にとって、手首や親指をソフトに保持・固定することによって、腱の動きを円滑にして腱鞘炎の発生を予防するとともに、炎症による疼痛の放散を防止する働きをし、ストラップのサポーターを親指或いは手首に巻いて保護・固定することによって腱鞘炎の予防と治療が可能となるという効果が得られる。
また、ストラップに連結まま手首や親指にサポーターを使用する場合には、携帯電話機の地上や床等への落下防止にもなるという効果が得られる。
【図面の簡単な説明】
【図１】従来の携帯電話機におけるストラップが付属された説明図である。
【図２】本発明の実施例１および実施例２に使用するストラップとサポーターの連結状態を示す斜視図である。
【図３】本発明の実施例１の手首に使用した使用状態説明図である。
【図４】本発明の実施例１の親指に使用した使用状態説明図である。
【図５】本発明の実施例２の手首に使用した使用状態説明図である。
【図６】本発明の実施例２の親指に使用した使用状態説明図である。
【図７】本発明の実施例３の使用状態説明図である。
【図８】本発明の実施例４の使用状態説明図である。
【図９】本発明の実施例５の使用状態説明図である。
【図１０】本発明の実施例６の使用状態説明図である。
【図１１】本発明の実施例７の説明図で、図１１（ａ）はストラップとの連結状態を示す図で、図１１（ｂ）は使用状態説明図である。
【符号の簡単な説明】
Ａ・・・円筒、Ｂ・・・手首、Ｃ・・・小さいループ、Ｄ・・・親指
ａ・・・携帯電話機本体、ｂ・・・ストラップ取付部、
ｃ，ｃ１，ｃ２・・・ストラップ、ｄ・・・操作ボタン
１，５，７・・・ストラップ、２，５，７４，７５・・・サポーター、３，３１，３２，３３・・・接続具、
４１，４２，６・・・留め具、７３・・・ポケット部、７６・・・弾性紐
【図１】
2004016353.tif 000003
【図２】
2004016353.tif 000004
【図３】
2004016353.tif 000005
【図４】
2004016353.tif 000006
【図５】
2004016353.tif 000007
【図６】
2004016353.tif 000008
【図７】
2004016353.tif 000009
【図８】
2004016353.tif 000010
【図９】
2004016353.tif 000011
【図１０】
2004016353.tif 000012
【図１１】
2004016353.tif 000013